(57)【要約】      （修正有）【課題】高速に２ｉｎ１印刷をすることができる印刷装置を提供する。【解決手段】原稿Ｇは副走査方向（Ｘ方向）に移動し、表面用ＣＩＳ１７ａによって表面の１ライン目Ｒ１、裏面用ＣＩＳ１７ｂによって裏面の１ライン目Ｒ２が読み取られる。表面の１ライン目Ｒ１と、裏面の１ライン目Ｒ２とが読み取られると、この２つのライン単位のデータが結合され、１ライン分の印刷データが作成される。そして、副走査方向（Ｙ方向）に搬送される記録用紙の長手方向に１ライン分の印刷がされる。こうした処理を、順次繰り返して２ｉｎ１印刷を行うことで、表面用ＣＩＳ１７ａ、裏面用ＣＩＳ１７ｂによって１ライン分のデータが読み込まれると、順次、１ライン分の印刷ができるので、高速に２ｉｎ１印刷を実行することができる。【選択図】図５
2010206313.tif 000002
【特許請求の範囲】
【請求項１】
第１方向に延びるライン単位で原稿の表面を読み取る第１読取手段と、その第１読取手段によって前記表面が読み取られている原稿の裏面と対向する位置に配置され前記裏面を前記第１方向に延びるライン単位で読み取る第２読取手段と、記録媒体と対向配置され第２方向に延びるライン単位で前記記録媒体に画像を印刷する印刷手段とを備えた印刷装置において、
前記原稿の長手方向が前記記録媒体の長手方向と交差するように、前記表面と前記裏面とを前記記録媒体の長手方向に並列に割り付けて印刷する２ｉｎ１印刷の指示が入力された場合に、前記原稿の長手方向と前記第１方向とが交差するように前記原稿が相対的に移動し、且つ、前記記録媒体の短手方向と前記第２方向とが交差するように前記記録媒体が相対的に移動することを条件として、
前記第１読取手段によって読み取られるライン単位の第１ラインデータと、その第１ラインデータと前記記録媒体の長手方向に並列に割り当てられ前記第２読取手段によって読み取られるライン単位の第２ラインデータとを、前記記録媒体の長手方向に結合してライン単位の印刷データを作成する作成手段と、
その作成手段によって作成される前記印刷データに従って前記印刷手段によって印刷させる印刷制御手段とを備えていることを特徴とする印刷装置。
【請求項２】
前記作成手段は、前記第１読取手段によって前記第１ラインデータ、前記第２読取手段によって前記第２ラインデータが読み取られると順次、前記印刷データを作成し、
前記印刷制御手段は、前記作成手段によって前記印刷データが作成されると順次、前記印刷手段によって印刷させることを特徴とする請求項１に記載の印刷装置。
【請求項３】
前記条件を満たすかを検出する検出手段を備え、
前記作成手段は、前記検出手段によって前記条件を満たすことが検出された場合に、前記印刷データを作成することを特徴とする請求項１又は２に記載の印刷装置。
【請求項４】
前記条件を示す情報を報知する報知手段を備えていることを特徴とする請求項１から３のいずれかに記載の印刷装置。
【発明の詳細な説明】
【技術分野】
【０００１】
本発明は、印刷装置に関するものである。
【背景技術】
【０００２】
特許文献１には、原稿に対して両面読み取りを行い、その読み取った原稿の表面と裏面とを２ｉｎ１印刷するデータ処理装置が記載されている。
【先行技術文献】
【特許文献】
【０００３】
【特許文献１】特開２００７−１６０６２２
【発明の概要】
【発明が解決しようとする課題】
【０００４】
しかしながら、上述した特許文献１には、如何にして印刷データが作成されているかは記載されていない。一方、かかる場合には、次のように印刷データが作成されていると考えられる。
【０００５】
例えば、原稿の長手方向と、記録媒体の長手方向とが交差するように、原稿の表面と裏面とを記録媒体の長手方向に並列に配置して印刷する２ｉｎ１印刷の指示があったとする。また、原稿は、その短手方向が両面読み取り装置によってライン単位で読み取られ、記録媒体は、その短手方向が印刷装置によってライン単位で印刷されるものとする。
【０００６】
この場合には、表面全部の読み取りが終わった後、その読み取った表面のデータに基づいてライン単位の印刷データを順次作成し、表面全部の印刷が終了し、且つ、裏面の読み取りが終わった後、その読み取った裏面のデータに基づいてライン単位の印刷データを順次作成する。
【０００７】
しかし、このような方法で印刷データを作成する場合には、表面全部の読み取りが終了するまでは印刷データの作成できず、２ｉｎ１印刷を高速に行うことができないという問題点があった。
【０００８】
本発明は、上述した問題点を解決するためになされたものであり、高速に２ｉｎ１印刷をすることができる印刷装置を提供することを目的としている。
【課題を解決するための手段】
【０００９】
この目的を達成するために、請求項１に記載の印刷装置は、第１方向に延びるライン単位で原稿の表面を読み取る第１読取手段と、その第１読取手段によって前記表面が読み取られている原稿の裏面と対向する位置に配置され前記裏面を前記第１方向に延びるライン単位で読み取る第２読取手段と、記録媒体と対向配置され第２方向に延びるライン単位で前記記録媒体に画像を印刷する印刷手段とを備えたものであって、前記原稿の長手方向が前記記録媒体の長手方向と交差するように、前記表面と前記裏面とを前記記録媒体の長手方向に並列に割り付けて印刷する２ｉｎ１印刷の指示が入力された場合に、前記原稿の長手方向と前記第１方向とが交差するように前記原稿が相対的に移動し、且つ、前記記録媒体の短手方向と前記第２方向とが交差するように前記記録媒体が相対的に移動することを条件として、前記第１読取手段によって読み取られるライン単位の第１ラインデータと、その第１ラインデータと前記記録媒体の長手方向に並列に割り当てられ前記第２読取手段によって読み取られるライン単位の第２ラインデータとを、前記記録媒体の長手方向に結合してライン単位の印刷データを作成する作成手段と、その作成手段によって作成される前記印刷データに従って前記印刷手段によって印刷させる印刷制御手段とを備えている。
【００１０】
請求項２記載の加工装置は、請求項１に記載の印刷装置において、前記作成手段は、前記第１読取手段によって前記第１ラインデータ、前記第２読取手段によって前記第２ラインデータが読み取られると順次、前記印刷データを作成し、前記印刷制御手段は、前記作成手段によって前記印刷データが作成されると順次、前記印刷手段によって印刷させる。
【００１１】
請求項３記載の加工装置は、請求項１又は２に記載の印刷装置において、前記条件を満たすかを検出する検出手段を備え、前記作成手段は、前記検出手段によって前記条件を満たすことが検出された場合に、前記印刷データを作成する。
【００１２】
請求項４記載の加工装置は、請求項１から３に記載の印刷装置において、前記条件を示す情報を報知する報知手段を備えている。
【発明の効果】
【００１３】
請求項１記載の印刷装置によれば、２ｉｎ１印刷の指示が入力された場合、原稿は、その長手方向が第１，２読取手段によってライン単位で読み取られる方向である第１方向と交差するように相対的に移動し、且つ、記録媒体は、その短手方向が印刷手段によってライン単位で印刷される方向である第２方向と交差するように相対的に移動することが条件とされる。そして、第１読取手段によって読み取られるライン単位の第１ラインデータと、その第１ラインデータと記録媒体の長手方向に並列に割り当てられ第２読取手段によって読み取られるライン単位の第２ラインデータとが、作成手段によって記録媒体の長手方向に結合され、ライン単位の印刷データとして作成され、その作成された印刷データに従って印刷制御手段によって印刷手段が制御されて印刷される。よって、前記条件を満たせば、表面全部または裏面全部が読み取られるのを待つことなく、ライン単位の印刷データを作成し、印刷することができるので、高速に２ｉｎ１印刷をすることができるという効果がある。また、第１ラインデータと、第２ラインデータとからライン単位の印刷データを作成する場合、第１ラインデータと、第２ラインデータとを９０度回転させる必要がない分、メモリの消費容量を節約することができると共に、高速にライン単位の印刷データを作成することができるので、高速に２ｉｎ１印刷をすることができるという効果がある。
【００１４】
請求項２記載の印刷装置によれば、請求項１に記載の印刷装置の奏する効果に加え、作成手段は、第１読取手段によって第１ラインデータ、第２読取手段によって第２ラインデータが読み取られると順次、印刷データを作成し、印刷制御手段は、作成手段によって印刷データが作成されると順次、印刷手段によって印刷させるので、一層、高速に２ｉｎ１印刷することができるという効果がある。
【００１５】
請求項３記載の印刷装置によれば、請求項１又は２に記載の印刷装置の奏する効果に加え、作成手段は、検出手段によって前記条件を満たすことが検出された場合に、印刷データを作成するので、条件を満たしていない場合に、作成手段によって印刷データが作成され、予期しない印刷データが作成され、予期しない印刷結果となるのを防止することができるという効果がある。
【００１６】
請求項４記載の印刷装置によれば、請求項１から３のいずれかに記載の印刷装置の奏する効果に加え、前記条件を示す情報が報知手段によって報知されるので、前記条件を満たすことをユーザに認識させることができるという効果がある。
【図面の簡単な説明】
【００１７】
【図１】本発明の一実施形態である複合機の外観斜視図である。
【図２】スキャナ部の構造を示す横断面図である。
【図３】プリンタ部の構造を示す横断面図である。
【図４】複合機の電気的構成を示すブロック図である。
【図５】２ｉｎ１印刷時の印刷データ作成方法を説明するための図である。
【図６】２ｉｎ１印刷処理を示すフローチャートである。
【発明を実施するための形態】
【００１８】
以下、本発明の好ましい実施形態について、添付図面を参照して説明する。図１は、本発明の一実施形態である複合機１の外観斜視図である。複合機１は、通話機能、ファクシミリ機能、プリンタ機能、スキャナ機能、及び、コピー機能などの各種の機能を有しており、特に、高速で２ｉｎ１印刷をすることができるものである。
【００１９】
複合機１には、主に、上方からスキャナ部１１と、スキャナ部１１の下方にプリンタ部１２と、正面側上方に操作パネル１３と、操作パネル１３の下方にスロット部１４とが設けられている。
【００２０】
スキャナ部１１は、フラットベッド読取モード、シートスルーＡＤＦ読取モード、ＣＩＳ読取モードの３つのモードによって原稿を読み取り可能に構成されている。フラットヘッド読取モードは、原稿カバー８の下に配置されているプラテンガラス１５（図２参照）上に載置されている原稿の片面を読み取るモードである。シートスルーＡＤＦ読取モードは、ＡＤＦ７から給紙された原稿の片面を読み取るモードである。ＣＩＳ読取モードは、ＡＤＦ７から給紙された原稿の両面を読み取るモードである。尚、ＡＤＦ７は、最大でＡ４サイズの原稿を、その長手方向に給紙可能に構成されているものとする。
【００２１】
プリンタ部１２は、正面に開口が形成されており、この開口に給紙トレイ２０及び排紙トレイ２１が設けられている。給紙トレイ２０内に積載された記録用紙は、プリンタ部１２の内部へ給送され、所望の画像が記録された後に排紙トレイ２１へ排出されるようになっている。
【００２２】
給紙トレイ２０は、Ａ４サイズの記録用紙を縦置き／横置き可能な大きさに構成されている。また、その給紙トレイ２０と対向する位置には、給紙トレイ２０に積載されている記録用紙の幅を検出可能な光学センサ９７（図４参照）が設置されており、この光学センサ９７によって給紙トレイ２０に積載されている記録用紙の幅が検出可能に構成されている。
【００２３】
操作パネル１３は、スキャナ部１１、プリンタ部１２を操作するためのものであって、各種操作ボタン４０やＬＣＤ４１が設けられている。ユーザは、操作パネル１３を操作することで、各種機能の設定や動作を実行することができる。例えば、記録用紙の種類の設定や、片面／両面印刷モードの設定、２ｉｎ１印刷の設定を操作パネル１３を介して指示、入力することができる。
【００２４】
スロット部１４は、各種小型メモリカードが装填され得るように構成されている。例えば、スロット部１４に小型メモリカードが装填された状態でユーザーが操作パネル１３の操作を行うことにより、小型メモリカードに記憶された画像データを読み出し、その読み出した画像データを記録用紙に印刷することができる。
【００２５】
図２は、スキャナ部１１の概略構造を示す横断面図である。即ち、図１の矢印Ｘ方向にスキャナ部１１を切断して正面視した図である。
【００２６】
スキャナ部１１は、主に、副走査方向（矢印Ｘ方向）に移動しながらプラテンガラス１５上に載置した原稿を読み取るＣＣＤ方式の第１読取機構１６と、ＡＤＦ７の給紙経路内に配置されＡＤＦ７から給紙される原稿の両面を読み取るＣＩＳ方式の第２読取機構１７とによって構成されている。
【００２７】
第１読取機構１６は、原稿に向けて光りを照射する光源、副走査方向に移動するキャリッジ、ミラー群、レンズ１８、ＣＣＤ１９等によって構成されている。第２読取機構１７は、表面用ＣＩＳ１７ａと、裏面用ＣＩＳ１７ｂとによって構成されており、表面用ＣＩＳ１７ａと、裏面用ＣＩＳ１７ｂとは、ＡＤＦ７から給紙される原稿を挟むように対向配置されている。
【００２８】
フラットベッド読取モードでは、図示しないキャリッジをプラテンガラス１５に沿って副走査方向に移動させることで、副走査方向に位置を変えながら光源で原稿を照明する。原稿からの反射光は、ミラー群、レンズ１８を経由し、ＣＣＤ１９上に結像され、光電変換が行われる。
【００２９】
シートスルーＡＤＦ読取モードでは、ＡＤＦ７の原稿トレイ７１に積載された原稿を、ピックアップローラ７２、搬送ドラム７３を経由して排紙トレイ７４上に搬送し、その搬送途中に設けられている読取窓１５ａを通して、フラットベッド読取と共用する読取系で光電変換が行われる。
【００３０】
ＣＩＳ読取モードでは、ＡＤＦ７の原稿トレイ７１に積載された原稿を、ピックアップローラ７２、搬送ドラム７３を経由して排紙トレイ７４に搬送し、読取窓１５ａを通過後、その下流側の表面用ＣＩＳ１７ａと、裏面用ＣＩＳ１７ｂとによって原稿の表裏面の光電変換が行われる。
【００３１】
図３は、プリンタ部１２の構造を示す縦断面図である。即ち、図１の矢印Ｘ方向と直行する方向にプリンタ部１２を切断して側面視した図である。
【００３２】
プリンタ部１２は、給紙トレイ２０の上側に配置されている給紙ローラ２５と、給紙トレイ２０の一端側から立設する分離傾斜壁２２と、分離傾斜壁２２から連続して延び、Ｕ字状の経路を形成する搬送路２３と、搬送路２３の一端側に配置されている搬送ローラ６０と、搬送ローラ６０から搬送される記録用紙を支持するプラテン４２と、プラテン４２と対向配置されキャリッジ３８に搭載されている記録ヘッド３９と、記録ヘッド３９を搬送ローラ６０との間に挟んで配置される排紙ローラ６２と、排紙ローラ６２から搬送される記録用紙を挟持する第１ローラ４５および第２ローラ４６と、第２ローラ４６を一端側に軸支して、上流側に延び、第１ローラ４５の回転中心を中心に回動可能な経路切換アーム４１と、経路切換アーム４１の他端側から給紙ローラ２５に向かって延びる裏面用経路１６とによって構成されている。
【００３３】
このプリンタ部１２で、記録用紙の片面（表面）に画像を記録する場合には、給紙トレイ２０に積載されている記録用紙が給紙ローラ２５によって分離傾斜壁２２に向けて給紙され、搬送路２３に沿って下流側に搬送される。そして、搬送ローラ６０によって、プラテン４２と記録ヘッド３９との間に搬送され、その間に記録ヘッド３９から記録用紙の片面（表面）にインクが吐出され、記録用紙の片面（表面）に画像が記録される。片面（表面）に画像が記録された記録用紙は、排紙ローラ６２と、第１ローラ４５および第２ローラ４６とによって下流側に搬送され、排紙トレイ２１に排紙される。
【００３４】
一方、記録用紙の両面（表裏面）に画像を記録する場合には、上述したのと同様に片面（表面）に画像が記録され、片面（表面）に画像が記録された記録用紙の一端側が排紙ローラ６２の下流側に位置する用紙ガイド面３２に支持され、他端側が第１ローラ４５および第２ローラ４６によって挟持されている状態で、一旦停止される。
【００３５】
そして、この状態において、経路切換アーム４１を図３に示す状態から第１ローラ４５の回転中心を中心に反時計回りに回動させ、経路切換アーム４１で記録用紙を押し下げる。これにより、記録用紙は、用紙ガイド面３２に支持されている方の先端部から裏面用経路１６に進入する。そして、第１ローラ４５および第２ローラ４６を逆転駆動すると、記録用紙は裏面用経路１６内を搬送され、表面が給紙ローラ２５に当接する。その後は、片面印刷の場合と同様に、再び、給紙ローラ２５によって給紙され、記録ヘッド３９によって裏面に画像が記録された後で、排紙トレイ２１に排紙される。
【００３６】
図４は、複合機１の電気的構成を示すブロック図である。複合機１には、ＣＰＵ８８、ＲＯＭ８９、ＲＡＭ９０、ＥＥＰＲＯＭ９１が設けられており、これらは、バス９２を介してＡＳＩＣ９３に接続されている。
【００３７】
ＲＯＭ８９には、複合機１の各種動作を制御するためのプログラム等が格納されている。例えば、図６に示す２ｉｎ１印刷処理を実行させる印刷処理プログラム８９ａが格納されている。ＲＡＭ９０は、ＣＰＵ８８が上記プログラムを実行する際に用いる各種データを一時的に記録する記憶領域又は作業領域として使用される。ＥＥＰＲＯＭ９１は、書き換え可能な不揮発性のメモリである。
【００３８】
ＡＳＩＣ９３には、バス９３の他、スキャナ部１１、プリンタ部１２、光学センサ９７、操作パネル１３、スロット部１４、パラレルインタフェース（Ｉ／Ｆ）９８、ＵＳＢインタフェース（Ｉ／Ｆ）９９、ファクシミリ機能を実現するためのモデム１０１およびＮＣＵ１００が接続されている。
【００３９】
図５は、２ｉｎ１印刷する場合の印刷データ作成方法を説明するための図である。図５（ａ）は、表面用ＣＩＳ１７ａによって原稿Ｇの表面、裏面用ＣＩＳ１７ｂによって原稿Ｇの裏面を読み取る状態を示し、図５（ｂ）は、記録ヘッド３９によって記録用紙Ｐに印刷する状態を示している。
【００４０】
本実施形態における２ｉｎ１印刷とは、図５（ｂ）に示すように、原稿Ｇの長手方向が記録用紙Ｐの長手方向と交差するように、原稿Ｇの表面と原稿Ｇの裏面とを縮小して記録用紙Ｐの長手方向に並列に割り付けて印刷することをいう。
【００４１】
また、本実施形態の２ｉｎ１印刷では、図５（ａ）に示すように、原稿Ｇは、その長手方向が表面用ＣＩＳ１７ａの読み取り方向（図５（ａ）の矢印Ｙ方向）と交差するように副走査方向（図５（ａ）の矢印Ｘ方向）に移動するようにＡＤＦ７にセットされることを条件とする。
【００４２】
更に、記録用紙Ｐは、その短手方向が記録ヘッド３９のライン単位の印刷方向（図５（ｂ）の矢印Ｘ方向）と交差するように副走査方向（図５（ｂ）の矢印Ｙ方向）に移動するように給紙トレイ２０にセットされることを条件とする。
【００４３】
これらの条件が満足されている場合、図５（ａ）に示すように、原稿Ｇは、副走査方向（図５（ａ）の矢印Ｘ方向）に移動し、表面用ＣＩＳ１７ａによって表面の１ライン目Ｒ１、裏面用ＣＩＳ１７ｂによって裏面の１ライン目Ｒ２が読み取られる。この表面の１ライン目Ｒ１と、裏面の１ライン目Ｒ２とが読み取られると、この２つのライン単位のラインデータを直線状に結合して、ライン単位の印刷データを作成する。
【００４４】
そして、その作成した印刷データに従って、図５（ｂ）に示すように、副走査方向（図５（ｂ）の矢印Ｙ方向）に搬送される記録用紙の長手方向に対して記録ヘッド３９によって印刷をする。こうした処理を、表面用ＣＩＳ１７ａ、裏面用ＣＩＳ１７ｂによって読み取られるライン単位のラインデータについて、順次繰り返すことで、記録用紙Ｐに２ｉｎ１印刷がなされる。
【００４５】
図６は、２ｉｎ１印刷処理を示すフローチャートである。この処理は、操作パネル１３を介して、ユーザーから２ｉｎ１印刷の指示が入力された場合に実行される処理である。尚、本実施形態では、Ａ４サイズの原稿の表面と、裏面とを、Ａ４サイズの記録用紙に縮小して２ｉｎ１印刷する場合について説明する。
【００４６】
この処理では、まず、記録用紙のセット条件をＬＣＤ４１に表示する（Ｓ６０１）。例えば、「記録用紙を横置き（長手方向が主走査方向と平行になるように）にセットして下さい。」と表示する。この表示によって、記録用紙のセット方向をユーザに認識させることができる。
【００４７】
次に、記録用紙が条件通りにセットされたかを判断する（Ｓ６０２）。記録用紙が条件通りにセットされたかは、給紙トレイ２０と対向配置されている光学センサ９７によって判断する。
【００４８】
その結果、記録用紙が条件通りにセットされていると判断された場合には（Ｓ６０２：Ｙｅｓ）、原稿の読み取りを開始する（Ｓ６０３）。具体的には、ＡＤＦ７のピックアップローラ７２を駆動して、ＣＩＳ読取モードによって原稿の両面の読み取りを開始する。
【００４９】
そして、表面用ＣＩＳ１７ａによって表面の１ライン分の読み取りが完了したかを判断し（Ｓ６０４）、完了していなければ（Ｓ６０４：Ｎｏ）、Ｓ６０４からの処理を繰り返す。一方、完了していれば（Ｓ６０４：Ｙｅｓ）、次に、裏面用ＣＩＳ１７ｂによって裏面の１ライン分の読み取りが完了したかを判断し（Ｓ６０５）、完了していなければ（Ｓ６０５：Ｎｏ）、Ｓ６０５からの処理を繰り返す。
【００５０】
一方、完了していれば（Ｓ６０５：Ｙｅｓ）、Ｓ６０４で読み取ったライン単位のラインデータと、Ｓ６０５とで読み取ったライン単位のラインデータとを結合し（Ｓ６０６）、更に、その結合したデータを２値化処理等の各種画像処理を経てライン単位の印刷データを作成する（Ｓ６０７）。
【００５１】
Ｓ６０７のライン単位の印刷データを作成すると、順次、その作成した印刷データに従って１ライン分の印刷を開始する（Ｓ６０８）。そして、全ラインの印刷が終了したかを判断し（Ｓ６０９）、終了していなければ（Ｓ６０９：Ｎｏ）、再び、Ｓ６０４からの処理を繰り返し、終了した場合には（Ｓ６０９：Ｙｅｓ）、記録用紙を排出して本処理を終了する。
【００５２】
一方、Ｓ６０２の判断ステップにおいて、記録用紙が条件通りにセットされていないと判断された場合（Ｓ６０２：Ｎｏ）、即ち、記録用紙が縦置きにセットされていた場合には、まずは、上述したのと同様に、原稿の読み取りを開始する（Ｓ６１０）。
【００５３】
そして、表面用ＣＩＳ１７ａによって表面の読み取りが完了したかを判断し（Ｓ６１１）、完了していなければ（Ｓ６１１：Ｎｏ）、Ｓ６１１からの処理を繰り返す。一方、完了していれば（Ｓ６１１：Ｙｅｓ）、表面用ＣＩＳ１７ａによって読み込んだデータに基づき、表面分の印刷データを各ライン単位で作成し（Ｓ６１２）、作成した印刷データに従ってライン単位で印刷を開始する（Ｓ６１３）。尚、この場合、作成される印刷データは、読み取ったデータから９０度回転させて作成されることになる。
【００５４】
そして、表面分の印刷が完了したかを判断し（Ｓ６１４）、完了していなければれ（Ｓ６１４：Ｎｏ）、Ｓ６１４の処理を繰り返し、完了していれば（Ｓ６１４：Ｙｅｓ）、次に、裏面用ＣＩＳ１７ｂによって裏面の読み取りが完了したかを判断し（Ｓ６１５）、完了していなければ（Ｓ６１５：Ｎｏ）、Ｓ６１５の処理を繰り返す。
【００５５】
一方、完了していれば（Ｓ６１５：Ｙｅｓ）、裏面用ＣＩＳ１７ｂによって読み込んだデータに基づき、裏面分の印刷データを各ライン単位で作成し（Ｓ６１６）、作成した印刷データに従ってライン単位で印刷を開始する（Ｓ６１７）。尚、この場合、作成される印刷データは、読み取ったデータから９０度回転させて作成されることになる。そして、裏面分の印刷が完了したかを判断し（Ｓ６１８）、
完了していなければれ（Ｓ６１８：Ｎｏ）、Ｓ６１８の処理を繰り返し、完了していれば（Ｓ６１８：Ｙｅｓ）、記録用紙を排出して本処理を終了する。
【００５６】
このように、上述した２ｉｎ１印刷処理によれば、記録用紙が条件通りにセットされていれば、表面用ＣＩＳ１７ａ、裏面用ＣＩＳ１７ｂによってライン単位のラインデータが読み込まれると、順次、１ライン分の印刷データが作成され、１ライン分の印刷ができるので、高速に２ｉｎ１印刷を実行することができる。また、読み取ったデータから印刷データを作成する場合には、読み取ったデータを９０度回転させる必要がない分、より高速に２ｉｎ１印刷を実行することができる上、印刷データを作成する際のメモリの消費容量を節約することができる。
【００５７】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００５８】
上述した実施形態では、ＡＤＦ７からＡ４横向きの状態で原稿を給紙することができない場合について説明したが、Ａ４、Ａ３サイズの原稿を横向きに給紙することができるように構成しても良い。このようなＡＤＦ７が搭載されている場合には、原稿が縦向きに給紙されたかを判断した上で、原稿が縦向きに給紙され、記録用紙が横向きにセットされたことを条件に、上述した２ｉｎ１印刷を実行するように構成すれば良い。
【符号の説明】
【００５９】
１        複合機（印刷装置の一例）
１７ａ    表面用ＣＩＳ（第１読取手段の一例）
１７ｂ    裏面用ＣＩＳ（第２読取手段の一例）
３９      記録ヘッド（印刷手段の一例）
Ｓ６０１  報知手段の一例
Ｓ６０２  検出手段の一例
Ｓ６０６  作成手段の一例
Ｓ６０７  作成手段の一例
Ｓ６０８  印刷制御手段の一例
【図１】
2010206313.tif 000003
【図２】
2010206313.tif 000004
【図３】
2010206313.tif 000005
【図４】
2010206313.tif 000006
【図５】
2010206313.tif 000007
【図６】
2010206313.tif 000008